(57)【要約】      （修正有）【課題】ロール紙の汚れや損傷を防ぐとともに、ロール紙巻体の脱着を行う作業者の受傷を防ぐことが可能な発券ユニットを提供する。【解決手段】ロール紙５の巻体５１を収納する巻体収納ユニット３と、ロール紙５に所定の情報を書き込み外部に排出する本体部２とからなり、巻体収納ユニット３の下部が回動軸４によって軸支され、回動軸４を中心に巻体収納ユニット３が背面側に一定角度回動して巻体５１の脱着位置まで進出することで巻体５１の脱着ができるように構成した発券ユニット１であって、回動軸４の背面側近傍のロール紙５を隠蔽するカバー６を備え、カバー６の基点部６ａを巻体収納ユニット３または本体部２のうちいずれか一方に枢設し、他方の背面にカバー６の内面が摺動する摺動部７を設け、基点部６ａを中心にカバー６を回動軸４側に回動させる方向に弾接する弾性付勢手段６５を設けた。【選択図】図１
2012214260.tif 000002
【特許請求の範囲】
【請求項１】
ロール紙の巻体を回転自在に支持しつつ内部に収納する巻体収納ユニットと、当該巻体収納ユニットから前記ロール紙を引き込み、当該ロール紙に所定の情報を書き込んだ上で外部に排出する本体部とからなり、前記巻体収納ユニットの下部が、前記ロール紙のパスラインと直交方向に設けられた回動軸によって軸支され、当該回動軸を中心に前記巻体収納ユニットが背面側に一定角度回動して巻体の脱着位置まで進出することで、当該巻体収納ユニットの側面から前記巻体の脱着ができるように構成した発券ユニットであって、前記巻体収納ユニットから引き出され、前記本体部に引き込まれるまでの間に露出する、前記回動軸の背面側近傍の前記ロール紙を背面側より隠蔽するカバーを備え、当該カバーの基点部を前記巻体収納ユニットまたは前記本体部のうちいずれか一方に枢設し、他方の背面に当該カバーの内面が摺動する摺動部を設け、前記基点部を中心に前記カバーを前記回動軸側に回動させる方向に弾接する弾性付勢手段を設けたことを特徴とする発券ユニット
【請求項２】
前記カバーの基点部が前記本体部に枢着され、かつ、前記カバーが外側に設けた第１の板状体と、当該第１の板状体の内側に設けた第２の板状体とを備えており、前記第1の板状体により、回動軸周辺を背面側から覆うとともに、前記第２の板状体を、前記ロール紙のパスラインと近接させて設け、前記巻体収納ユニットが前記巻体の脱着位置に進出した際には前記摺動部と前記第２の板状体とが接触することで、前記カバーの位置を決定付けるように構成したことを特徴とする請求項１に記載の発券ユニット。
【発明の詳細な説明】
【技術分野】
【０００１】
本発明は、乗車券の販売等に利用される自動券売機に用いられる発券ユニットに関するものである。
【背景技術】
【０００２】
従来より、駅の自動券売機等に用いられる発券ユニットとして、前面の操作者により入力された情報に基づき、所定の情報を記録した券を発するものが多数使用されている。これらのものの多くは、内部にロール紙を保持しておき、これを引き出して一定の長さに切断し、文字や磁気等による情報の書き込みを行い、操作者側に排出されるようになっている。そして、もっぱら本発券ユニットのロール紙の補充やメンテナンスは、背面側から行われるようになっている。
【０００３】
こうした発券ユニットのひとつとして、特許文献１に示すような方法で、ロール紙を保持したものが知られている。これは、ロール紙の巻体を回転自在に支持した支持手段を備えたロール紙収納ユニットの下部が、背面よりに設けられた軸体によって軸支され、ロール紙交換の際には当該ユニットごと上記軸体を中心に背面側に一定角度回動するようにして飛び出し、側面から上記支持手段に対するロール紙の脱着を行うことができるように構成したものである。
【先行技術文献】
【特許文献】
【０００４】
【特許文献１】特開２００２−３５６２５２号公報
【発明の概要】
【発明が解決しようとする課題】
【０００５】
しかしながら、発券ユニットの多くは、操作者による操作中に不意に紙切れを生じさせることがないように、ロール紙を当該ロール紙の支持手段の外方を巻き回すようにして引き出しパスを稼ぐように構成されているため、こうした構成も含め上述の特許文献１にかかる発券ユニットを具体化しようとすると、図７に示すような構成とすることが考えられる。
【０００６】
すなわち、当該発券ユニット１は、ロール紙５の巻体５１を回転自在に支持する支持手段３１を具備した巻体収納ユニット３を備え、当該巻体収納ユニット３は背面側に回動するように飛び出すことが可能とされるとともに、当該巻体収納ユニット３の内部にはロール紙巻体５１の外方に複数のガイドローラ３２ａ、３２ｂ、３２ｃ、３２ｄを設けて、このガイドローラ３２ａ、３２ｂ、３２ｃ、３２ｄ間でロール紙５を引き回すようにしてパスを稼いだ後に、本体部２にロール紙５を引き込ませるように構成することが考えられる。
【０００７】
このような発券ユニット１の本体部２では、図示しないローラやベルト等からなるロール紙５の搬送手段２２によってロール紙５の搬送速度を制御しつつ、情報の書き込みや切断等の処理を行うことになる。他方、巻体収納ユニット３の内部におけるロール紙巻体５１の支持手段３１やガイドローラ３２ａ、３２ｂ、３２ｃ、３２ｄは、回転速度を制御せず、もっぱら本体部２に引き込まれるロール紙５によってもたらされる張力によって従動するように構成することが一般的である。
【０００８】
そのため、ロール紙巻体５１を交換した後には、手作業で巻体収納ユニット３からロール紙５を引き出し、本体部２の搬送手段２２に引き込ませる作業が必要となる。こうした作業を背面側から行うことを可能とするために、巻体収納ユニット３の背面側下部には開口部３５を設け、作業者はこの開口部３５と本体部２との間で形成される空隙部８の内部にてロール紙５を確認し、これを把持した上で下側に設けられている本体部２のロール紙引き込み口２１に挿入させる作業を行うことになる。
【０００９】
しかしながら、近年では発券の高速化に伴ってロール紙５の搬送速度が上昇するとともに、急停止させるような制御が行われるようになってきた。そのため、ロール紙の搬送が急停止されても、ロール紙巻体５１やガイドローラ３２ａ、３２ｂ、３２ｃ、３２ｄが慣性により回転してしまうことで、図８のように、ロール紙引き込み口２１の上方でロール紙５にたるみが生じ、背面側に飛び出してしまう現象が生じるようになった。また、ロール紙５に対する印字や切断処理の都合上、一時的に通常の走行方向から逆方向にロール紙５を戻り動作させることもあり、こうした場合においても同様にロール紙５のたるみが生じることがある。
【００１０】
このように、発券ユニット１の背面側に飛び出すようにしてロール紙５のたるみが生じた場合、背面側を通過する作業者や他の機器に触れることでロール紙５に汚れが付着したり、損傷を生じるとの問題が生じる可能性がある。表面に文字情報を記入し、裏面に磁気情報を書き込み発券する発券ユニット１においては、表面の印字部を上にして排出することが一般的であるため、前記空洞部８においてより繊細な取り扱いが必要であるはずの裏面の磁性体塗布面が外方に露出することとなり、上記の問題はより深刻な問題となって顕在化する。
【００１１】
また、前記空隙部３５は巻体収納ユニット３が背面側の脱着位置まで回動して飛び出した際には狭まることになるため、ここに作業者が誤って体の一部を入れてしまうと作業に支障を来す可能性がある。
【００１２】
本発明は、このような課題を有効に解決することを目的としており、具体的には巻体収納ユニット３が本体部２に対して背面まで回動して飛び出すことで、巻体の脱着を可能に構成した発券ユニット１において、ロール紙５の汚れや損傷を防止するとともに、作業者の受傷を防ぐことを目的とする。
【課題を解決するための手段】
【００１３】
本発明は、かかる目的を達成するために、次のような手段を講じたものである。
【００１４】
すなわち、本発明の発券ユニットは、ロール紙の巻体を回転自在に支持しつつ内部に収納する巻体収納ユニットと、当該巻体収納ユニットから前記ロール紙を引き込み、当該ロール紙に所定の情報を書き込んだ上で外部に排出する本体部とからなり、前記巻体収納ユニットの下部が、前記ロール紙のパスラインと直交方向に設けられた回動軸によって軸支され、当該回動軸を中心に前記巻体収納ユニットが背面側に一定角度回動して巻体の脱着位置まで進出することで、当該巻体収納ユニットの側面から前記巻体の脱着ができるように構成したものであって、前記巻体収納ユニットから引き出され、前記本体部に引き込まれるまでの間に露出する、前記回動軸の背面側近傍の前記ロール紙を背面側より隠蔽するカバーを備え、当該カバーの基点部を前記巻体収納ユニットまたは前記本体部のうちいずれか一方に枢設し、他方の背面に当該カバーの内面が摺動する摺動部を設け、前記基点部を中心に前記カバーを前記回動軸側に回動させる方向に弾接する弾性付勢手段を設けたことを特徴とする。
【００１５】
このように構成すると、カバーによって開口部が隠蔽されているため、ロール紙巻体の慣性や戻り動作によりロール紙にたるみが生じても、背面側への露出を防ぐことが可能となる。さらに、巻体脱着の際においても巻体収納ユニットの回動に追従して自動的にカバーが移動するため、常時開口部を隠蔽することが可能となり、作業者が体の部位を挟まれることを防ぐことができる。
【００１６】
また、当該カバーの先端がロール紙の巻体の領域に入り込み、ロール紙を汚すことがないようにするためには、前記カバーの基点部が前記本体部に枢着され、かつ、前記カバーが外側に設けた第１の板状体と、当該第１の板状体の内側に設けた第２の板状体とを備えており、前記第1の板状体により、回動軸周辺を背面側から覆うとともに、前記第２の板状体を、前記ロール紙のパスラインと近接させて設け、前記巻体収納ユニットが前記巻体の脱着位置に進出した際には前記摺動部と前記第２の板状体とが接触することで、前記カバーの位置を決定付けるように構成することが好適である。
【発明の効果】
【００１７】
以上説明した本発明によれば、背面側でのロール紙のたるみに起因した汚れや損傷を防ぎ、かつ、ロール紙巻体の脱着に要する巻体収納ユニットの回動に伴った作業者の受傷を防ぐことが可能な発券ユニットを提供することが可能となる。
【図面の簡単な説明】
【００１８】
【図１】本発明の一実施形態に係る発券ユニットの側面図。
【図２】巻体収納ユニットが脱着位置にあるときの同発券ユニットの側面図。
【図３】同発券ユニットが備えるカバーの側面図および正面図。
【図４】本発明の別の実施形態に係る発券ユニットの側面図。
【図５】巻体収納ユニットが脱着位置にあるときの同発券ユニットの側面図。
【図６】同発券ユニットが備えるカバーの側面図および正面図。
【図７】本発明との比較例である発券ユニットの側面図。
【図８】ロール紙にたるみが生じた場合の同発券ユニットの側面図。
【発明を実施するための形態】
【００１９】
以下、本発明の実施形態を、図面を参照して説明する。
【００２０】
この実施形態の発券ユニット１は、前述した図７に示す本発明との比較例と同様、図１に示すように、ロール紙５の巻体５１を内部に収納する巻体収納ユニット３と本体部２とからなり、ロール紙５は巻体収納ユニット３から引き出され、本体部２の内部を通過して所定の処理を施された後に、操作側に発券されるように構成している。
【００２１】
なお、以後の説明は、発券される側すなわち図１における左方向を発券ユニット１の操作側として、その逆方向すなわち図１における右方向を発券ユニット１の背面側として行う。また、同図における上または下方向を発券ユニット１の上または下方向として、同図の紙面に対して垂直方向を発券ユニット１に対する幅方向として説明を行う。
【００２２】
図１に示すように、巻体収納ユニット３は、ロール紙巻体５１を支持する巻体支持手段３１と、これを囲むように配されたガイドローラ３２ａ、３２ｂ、３２ｃ、３２ｄとを具備しており、これらは全て軸方向が紙面垂直方向である発券ユニット１の幅方向となり、回転自在となるよう設けている。そして、ロール紙巻体５１から引き出したロール紙５は、ガイドローラ３２ａ、３２ｂ、３２ｃ、３２ｄによってロール紙巻体５１の外方を引き回すようにしてパスを稼いだ後、本体部２の背面上部にあるロール紙引き込み口２１から当該本体部２に引き込まれるように構成してある。
【００２３】
本体部２は、ロール紙５を搬送するための図示しないローラやベルト等からなる搬送手段２２と、当該搬送手段２２によって走行中のロール紙５に対して切断を行う切断手段２３、印字を行う印字手段２４、磁気情報の書き込みを行う磁気情報書き込み手段２５、および、これらの手段によってロール紙５より作成された券９を操作者に対して排出する排出手段２６を具備している。搬送手段２２を構成するローラやベルト等は、搬送するロール紙５の速度を決定するために必要な範囲で駆動制御されており、少なくとも引き込み口２１の直後の引き込みローラ２２ａ、２２ｂのいずれかは、ロール紙５をニップしつつ搬送手段２２の内部に引き込むため駆動するように構成している。
【００２４】
巻体収納ユニット３は回動軸４によって軸支され、当該回動軸４を中心に本体部２に対して回動可能となるように構成している。そして、回動軸４は巻体収納ユニット３の背面側下部に位置し、ロール紙５のパスラインに対し軸心が直交方向となるように、本体部２に対して固定されるように設けているため、図２に示すように、これを中心として巻体収納ユニット３は全体が背面側に飛び出すようにして進出可能となっている。この実施形態では、図示しないストッパにより回動範囲が約９０°に設定されている。
【００２５】
また、図１に示すように、回動軸４の背面側では、巻体収納ユニット３の一部に当該巻体収納ユニット３からロール紙５を引き出すための開口部３５が設けられ、当該開口部３５と本体部２との間で形成される空隙部８内のロール紙５は、そのまま下方に設けられている本体部２のロール紙引き込み口２１に侵入させるようにしてある。
【００２６】
以上までに説明した構成は、図７および図８に示す従来の発券ユニット１とほぼ同じであるが、本実施形態にかかる発券ユニット１においては、図１および図２に示すように、前記回動軸４の背面側に、回動軸４を隠蔽するようにカバー６が設置されていることが大きく異なる。
【００２７】
カバー６は、回動軸４を背面側から隠蔽すると同時に、巻体収納ユニット３の開口部３５と本体部２との間でできる空隙部８を隠蔽することになる。また、これによって空隙部８内のロール紙５も併せて隠蔽し、背面側に飛び出さないようになっている。
【００２８】
カバー６は下端の基点部６ａで、本体部２の背面に張り出すようにして設けられた支持ブロック６７に対し、バネ蝶番６５によって上方が回動可能となるように枢設されるとともに、上端が巻体収納ユニット３の背面側に設けた摺動ピン７に弾接するように付勢されている。つまり、当該バネ蝶番６５は、枢軸であるとともに弾性付勢手段としての機能を有している。こうすることで、摺動ピン７はこれに弾接されるカバー６の内面と協同して、カバー６の回動方向の位置決めを行うようになっている。
なお、摺動ピン７は、回転可能なローラ状に構成することも可能であり、こうすればカバー内面との摺動抵抗を減少させることができ好適である。
【００２９】
カバー６は、図３（ａ）、図３（ｂ）に示すように、外側に面する第１の板状体６１と、内側の第２の板状体６２とからなり、それぞれ金属材料から切り出した長方形の板材を折り曲げ加工し、溶接することで構成してある。
【００３０】
第１の板状体６１は、カバー６として取り付けた際に、主として背面側から見たときの当該カバー６の形状を形成するものであり、前述したように回動軸４の背面を隠蔽可能とするため、外側に対しわずかに凸となる滑らかな形状となるように折り曲げて形成してある。第２の板状体６２は、上方が第１の板状体６１における高さ方向のおよそ中間地点で、下方を第１の板状体６１の下端のすぐ上で溶接されることで止着されており、この間で内側方向に凸となるように折り曲げられている。そして、第１の板状体６１と相俟って形成されるカバー６全体の厚みが、下側に行くに従って徐々に増していくように構成している。
【００３１】
このように構成することで、図１および図３に示すように、第２の板状体６２は空隙部８内を通過するロール紙５のパスラインに近接して位置することになり、ロール紙５にたるみが発生しても、ロール紙５の背面側への飛び出しを抑えるとともに、第１の板状体６１と本体部２の間にできる隙間にロール紙５が入り込むことを防止できるようになっている。
【００３２】
また、前述したとおり、カバー６はその内面が摺動ピン７と協同することで、回動方向の位置決めが行われるようになっている。具体的には、図１および図３に示すように、巻体収納ユニット３が通常位置にあるときには、カバー６の先端付近である第１の板状体６１の内面部分が摺動ピン７に当接することで、カバー６はほぼ直立した状態となる。この状態より、図２および図３に示すような、巻体収納ユニット３が背面側の巻体脱着位置まで進出した状態となると、摺動ピン７はカバー６に対するバネ蝶番６５による付勢方向に逆らってカバー６を背面側に回動させていくことになる。この際、巻体収納ユニット３が回動する中心とカバー６が回動する中心とがずれているため、カバー６が摺動ピン７と当接する部分は下端近傍の第２の板状体６２の内面にまで下がってくる。つまりは、巻体収納ユニット３が通常位置から脱着位置まで回動する過程において、カバー６の回動角度を決定付けるのは、初期段階より中間段階までは摺動ピン７と第１の板状体の内面６１の内面であり、中間段階より最終段階までは摺動ピン７と第２の板状体の内面６２であるように構成している。
【００３３】
前述したように、第２の板状体６２は、下側に行くに従って内側に凸となる形状としている。そのために、この形状と摺動ピン７の位置関係と相俟って、巻体収納ユニット３が脱着位置に進出するまでの間、カバー６の先端がロール紙巻体５１と当接することがないようになっている。
【００３４】
上記のように構成していることにより、当該発券ユニット１においてロール紙５切れが生じた際には、以下のようにしてロール紙５の補充を行うことになる。
【００３５】
まず、作業者は背面側に立ち、巻体収納ユニット３に手を掛け、図１に示す通常位置から図２に示す脱着位置まで回動させるようにして進出させる。この時、巻体収納ユニット３の回動に合わせて摺動ピン７に押されることで、カバー６も背面側に倒れ込むようにして回動していく。この間、前記空洞部８はカバー６によって常に隠蔽されたままであるため、体の部位を過って進入させて挟まれ、受傷する心配がない。次に、作業者は巻体収納ユニット３の側面から、巻体支持手段３１よりロール紙５が無くなり空となったボビン５１ａを紙面垂直方向に沿って取り外し、新しいロール紙巻体５１を取り付ける。カバー６の先端位置は、第２の板状体６２と摺動ピン７とによって規制されており、ロール紙巻体５１と十分に離れた位置となるようになっている。
【００３６】
そして作業者は、ロール紙巻体５１よりロール紙５の先端を引き出し、巻体収納ユニット３内のローラ３２ａ、３２ｂ、３２ｃ、３２ｄに掛けた上で、空隙部８までたらしておく。その後、巻体収納ユニット３を図１に示す通常位置に戻す。そして、カバー６を弾性付勢手段６５に逆らって背面側に回動させて空隙部８が見える状態とし、その中のロール紙５先端を本体部２のロール紙引き込み口２１に差込んで搬送手段２２に引き込ませ、通常の使用状態に復帰させる。
【００３７】
通常の使用状態として当該発券ユニット１を運転している間には、比較例として上述したように、搬送手段２２の急停止の際や、戻り動作により、空隙部８にロール紙５のたるみが発生する場合がある。しかしながら、カバー６により背面側より隠蔽されているため、ロール紙５の背面側への飛び出しは生じないようになっている。
【００３８】
以上のように、本実施形態に係る発券ユニット１は、ロール紙５の巻体５１を回転自在に支持しつつ内部に収納する巻体収納ユニット３と、当該巻体収納ユニット３から前記ロール紙５を引き込み、当該ロール紙５に所定の情報を書き込んだ上で外部に排出する本体部２とからなり、前記巻体収納ユニット３の下部が、前記ロール紙５のパスラインと直交方向に設けられた回動軸４によって軸支され、当該回動軸４を中心に前記巻体収納ユニット３が背面側に一定角度回動して巻体の脱着位置まで進出することで、当該巻体収納ユニット３の側面から前記巻体５１の脱着ができるように構成したものであって、前記巻体収納ユニット３から引き出され、前記本体部２に引き込まれるまでの間に露出する、前記回動軸４の背面側近傍の前記ロール紙５を背面側より隠蔽するカバー６を備え、当該カバー６の基点部６ａを前記巻体収納ユニット３または前記本体部２のうちいずれか一方に枢設し、他方の背面に当該カバー６の内面が摺動する摺動部７を設け、前記基点部６ａを中心に前記カバー６を前記回動軸４側に回動させる方向に弾接する弾性付勢手段６５を設けたものである。
【００３９】
このように構成しているため、搬送手段２２の急停止の際や戻り動作の際に、ロール紙５にたるみが生じても、空隙部８がカバー６によって隠蔽されているためロール紙５が背面側に飛び出すことがなく、人や他の機器との接触による汚れや損傷が生じない。また、特別な操作を行わなくても、巻体収納ユニット３の脱着位置への回動に対して自動的に追従してカバー６が常に空隙部８を隠蔽するため、作業者が誤って体の一部を挟み込み受傷することがない。
【００４０】
また、前記カバー６の基点部６ａが前記本体部２に枢着され、かつ、前記カバー６が外側に設けた第１の板状体６１と、当該第１の板状体６１の内側に設けた第２の板状体６２とを備えており、前記第1の板状体６１により、回動軸４周辺を背面側から覆うとともに、前記第２の板状体６２を、前記ロール紙５のパスラインと近接させて設け、前記巻体収納ユニット３が前記巻体５１の脱着位置に進出した際には前記摺動部７と前記第２の板状体６２とが接触することで、前記カバー６の位置を決定付けるように構成しているため、ロール紙巻体５１の脱着の際にカバー６の先端がロール紙巻体５１に接触して汚れや傷を付けることもない。
【００４１】
なお、各部の具体的な構成は、上述した実施形態のみに限定されるものではない。
【００４２】
上記の実施形態においては、カバー６の基点部６ａを本体部２側に枢設していたが、これを巻体収納ユニット３の側に設け、摺動ピン７を本体部側に設けることにより、同様の効果を得ることも可能である。
【００４３】
また、図１〜図３を用いて説明した上記の実施態様を基本に、図４〜図６のように変形させることも可能である。具体的には、図６のように、第１の板状体６１と第２の板状体６２に加えて、これらの更に内面側に第３の板状体６３を設け、第１の板状体６１や第２の板状体６２との間で、上端付近から下端付近に掛けてほぼ一定の幅となる空間６４が生じるように形成しても良い。上記の実施形態と同様に、当該カバー６を設けた発券ユニット１は、図５に示すように、巻体収納ユニット３の回動に追従して回動し、常に空隙部８を隠蔽することが可能で、摺動ピン７と相俟ってカバー先端６の位置もロール紙巻体５１に接触しないように規制することが可能である。なお、本変形例では、前述の実施形態の場合とは異なり、摺動ピン７に弾接され摺動するのは常に第３の板状体６３であり、第３の板状体６３の形状によって巻体収納ユニット３が通常位置から脱着位置に回動するまでのカバー６の先端位置が決定される。
【００４４】
しかも、図４に示すように、第３の板状体６３を追加することでカバー６の内部に形成された空間６４にロール紙５を通過させるように、パスラインを変更させることができ、ロール紙５の背面側への飛び出しを抑制することができる。さらに、ロール紙５の交換後に、カバー６を回動させて空隙部８が見えるようにしなくても、ロール紙５の先端をカバー６内の空間６４に差し込めば、そのままロール紙引き込み口２１まで誘導され、搬送手段２２内に引き込ませることができる。
【００４５】
その他の構成も、本発明の趣旨を逸脱しない範囲で種々変形が可能である。
【符号の説明】
【００４６】
１  発券ユニット
２  本体部
３  巻体収納ユニット
４  回動軸
５  ロール紙
６  カバー
７  摺動ピン
８  空隙部
２２  搬送手段
３１  巻体支持手段
５１  ロール紙巻体
６１  第１の板状体
６２  第２の板状体
６５  バネ蝶番
【図１】
2012214260.tif 000003
【図２】
2012214260.tif 000004
【図３】
2012214260.tif 000005
【図４】
2012214260.tif 000006
【図５】
2012214260.tif 000007
【図６】
2012214260.tif 000008
【図７】
2012214260.tif 000009
【図８】
2012214260.tif 000010